(57)【要約】      （修正有）【課題】均斉度の高い光を出射することができる照明器具を提供する。【解決手段】線状照明器具１は、レーザー光を出射するレーザー光源と、レーザー光を波長変換した波長変換光を出射する蛍光部と、蛍光部から出射した波長変換光を長尺の線状導光部材６の入射面に入射する光源モジュール４を備える。また、線状導光部材６は、導光する波長変換光を線状導光部材６の第１出射面から出射させる光取り出し部を有する。そして、光取り出し部から出射する波長変換光の割合は、線状導光部材６の光路長が長くなるに従い次第に増加する。【選択図】図１
2019061796.tif 000002
【特許請求の範囲】
【請求項１】
長尺な照明器具であって、
レーザー光を出射するレーザー光源と、
前記レーザー光を波長変換した波長変換光を出射する波長変換部材と、
前記波長変換部材から出射して端面から入射した前記波長変換光が導光する長尺の線状導光部材とを備え、
前記線状導光部材は、導光する前記波長変換光を前記線状導光部材の外周面から出射させる光取り出し部を有し、
前記光取り出し部から出射する前記波長変換光の割合は、前記線状導光部材の光路長が長くなるに従い次第に増加する
照明器具。
【請求項２】
前記光取り出し部は、前記線状導光部材の外周面に形成された凹凸構造であり、
前記凹凸構造における凹部又は凸部の密度は、前記端面から遠ざかるに従い次第に大きくなる
請求項１に記載の照明器具。
【請求項３】
前記光取り出し部は、前記線状導光部材の外周面に形成された凹凸構造であり、
前記凹凸構造における凹部の深さ又は凸部の高さは、前記端面から遠ざかるに従い次第に大きくなる
請求項１又は２に記載の照明器具。
【請求項４】
前記レーザー光源は、前記線状導光部材の一方側に配置される第１レーザー光源と、前記線状導光部材の他方側に配置される第２レーザー光源とを有し、
前記波長変換部材は、前記第１レーザー光源と前記線状導光部材との間に配置される第１波長変換部材と、前記第２レーザー光源と前記線状導光部材との間に配置される第２波長変換部材とを有し、
前記第１レーザー光源が出射した前記レーザー光は、前記第１波長変換部材で波長変換された波長変換光が一方の端面である第１入射面から入射し、
前記第２レーザー光源が出射した前記レーザー光は、前記第２波長変換部材で波長変換された波長変換光が他方の端面である第２入射面から入射する
請求項１に記載の照明器具。
【請求項５】
前記光取り出し部は、前記線状導光部材の外周面に形成された凹凸構造であり、
前記凹凸構造における凹部又は凸部の密度は、前記第１入射面及び前記第２入射面から前記線状導光部材の中央部分に近づくに従い次第に大きくなる
請求項４に記載の照明器具。
【請求項６】
前記光取り出し部は、前記線状導光部材の外周面に形成された凹凸構造であり、
前記凹凸構造における凹部の深さ又は凸部の高さは、前記第１入射面及び前記第２入射面から前記線状導光部材の中央部分に近づくに従い次第に大きくなる
請求項４又は５に記載の照明器具。
【発明の詳細な説明】
【技術分野】
【０００１】
本開示は、照明器具に関する。
【背景技術】
【０００２】
従来、レーザー光源と、レーザー光源からのレーザー光を透過させる導光体とを備える車両用灯具が開示されている（例えば特許文献１参照）。
【先行技術文献】
【特許文献】
【０００３】
【特許文献１】特開２０１４−１７０６０号公報
【発明の概要】
【発明が解決しようとする課題】
【０００４】
一般的には、導光体の長さが長くなるほど、導光体から出射する光の均斉度が低下してしまう。このため、導光体から出射する光の均斉度を高める照明器具が求められている。
【０００５】
そこで、本開示は、均斉度の高い光を出射することができる照明器具を提供することを目的とする。
【課題を解決するための手段】
【０００６】
上記目的を達成するため、本開示の一態様に係る照明器具は、長尺な照明器具であって、レーザー光を出射するレーザー光源と、前記レーザー光を波長変換した波長変換光を出射する波長変換部材と、前記波長変換部材から出射して端面から入射した前記波長変換光が導光する長尺の線状導光部材とを備え、前記線状導光部材は、導光する前記波長変換光を前記線状導光部材の外周面から出射させる光取り出し部を有し、前記光取り出し部から出射する前記波長変換光の割合は、前記線状導光部材の光路長が長くなるに従い次第に増加する。
【発明の効果】
【０００７】
本開示によれば、均斉度の高い光を出射することができる。
【図面の簡単な説明】
【０００８】
【図１】図１は、実施の形態１に係る線状照明器具を示す斜視図である。
【図２】図２は、図１のＩＩ−ＩＩ線における実施の形態１に係る線状照明器具の光源モジュールを示す部分拡大断面図である。
【図３】図３は、実施の形態１に係る線状照明器具の線状導光部材を示す平面図と断面図である。
【図４】図４は、実施の形態１の変形例に係る線状照明器具の線状導光部材を示す断面図である。
【図５】図５は、実施の形態２に係る線状照明器具を示す斜視図である。
【図６】図６は、実施の形態２に係る線状照明器具の線状導光部材を示す平面図である。
【図７】図７は、線状照明器具の線状導光部材から出射する光を示す図である。
【図８】図８は、実施の形態２の変形例に係る線状照明器具の線状導光部材を示す断面図である。
【発明を実施するための形態】
【０００９】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１０】
また、「略＊＊」との記載は、「略同一」を例に挙げて説明すると、全く同一はもとより、実質的に同一と認められるものを含む意図である。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下、本開示の実施の形態に係る線状照明器具について説明する。
【００１３】
（実施の形態１）
［構成］
図１は、実施の形態に係る線状照明器具１を示す斜視図である。
【００１４】
レーザー光源４２が出射する光の出射方向をＸ軸プラス方向と規定し、線状導光部材６から紙面上方向をＹ軸プラス方向と規定し、線状照明器具１を設置する天井へ向く方向をＺ軸プラス方向と規定し、Ｘ、Ｙ、Ｚの各方向を表示する。図１に示す各方向は、図２に示す各方向に対応させて表示する。Ｘ、Ｙ、Ｚの各方向を表示していない図を除き、図２以降の図においても、同様である。
【００１５】
図１に示すように、線状照明器具１は、Ｘ軸方向に長尺なライン照明であり、天井、壁等の造営材に設置される。線状照明器具１は、照明器具の一例である。線状照明器具１は、筐体３と、光源モジュール４と、線状導光部材６と、反射板７と、透光板８とを備える。
【００１６】
筐体３は、Ｘ軸方向に長尺な箱体である。筐体３は、光源モジュール４、線状導光部材６、反射板７及び透光板８を収容している。筐体３は、Ｚ軸マイナス方向側に開口３ａが形成されている。開口３ａは、線状導光部材６が出射した波長変換光が通過する。
【００１７】
図２は、図１のＩＩ−ＩＩ線における実施の形態１に係る線状照明器具１の光源モジュール４を示す部分拡大断面図である。
【００１８】
図２に示すように、光源モジュール４は、レーザー光を出射する装置である。光源モジュール４は、収容体４１と、レーザー光源４２と、レーザー光源４２を実装する基板４３と、蛍光部４４と、ヒートシンク４５と、第１レンズ４６と、第２レンズ４７とを有する。
【００１９】
収容体４１は、レーザー光源４２、基板４３、蛍光部４４、ヒートシンク４５、第１レンズ４６、第２レンズ４７、及び、線状導光部材６の端部を収容する箱体である。収容体４１の内部には、ヒートシンク４５からＸ軸プラス方向に向かって、基板４３、レーザー光源４２、蛍光部４４、第１レンズ４６、第２レンズ４７、線状導光部材６の順で並んでいる。収容体４１は、レーザー光源４２、基板４３、蛍光部４４、ヒートシンク４５、第１レンズ４６及び第２レンズ４７を固定部材等で内部に固定している。
【００２０】
レーザー光源４２は、レーザー光を出射する光源である。レーザー光源４２は、光ファイバーケーブルのＸ軸マイナス方向側の端面である入射面６１にレーザー光を入射させる。レーザー光は、蛍光部４４の蛍光体を励起させる励起光である。レーザー光は、例えば、青色の波長帯域から紫色の波長帯域までの光であり、蛍光部４４から波長変換光を出射させることが可能である。
【００２１】
本実施の形態の線状照明器具１は、レーザー光源４２から出射されたレーザー光が蛍光部４４を介して出射された波長変換光を線状導光部材６に入射させる光学系である。このような光学系では、光の拡散等がなければ、エテンデュ（Ｅｔｅｎｄｕｅ）と呼ばれる量が保存されることが知られている。エテンデュは、レーザー光源４２における発光面積と、レーザー光源４２から発散するレーザー光の広がり角との積によって定義される。このため、エテンデュは、レーザー光源４２が出射したレーザー光を入射面６１に入射させる能力、つまり、線状導光部材６が受光する光の取り込み能力の大きさを表す。例えば、線状導光部材６における入射面６１のエテンデュがレーザー光源４２のエテンデュよりも小さければ、レーザー光源４２が出射したレーザー光の全てを取り込むことができずに損失が生じる。
【００２２】
発光面積の小さく指向性の高いレーザー光はエテンデュが小さい。このため、レーザー光を蛍光部４４に入射させることで、エテンデュの小さい蛍光を蛍光部４４から出射させることができる。このため、レーザー光源４２と線状導光部材６との結合効率を高めることができる。
【００２３】
レーザー光源４２は、制御部によってレーザー光の出力が制御される。レーザー光源４２は、例えば、青色のレーザー光よりも短い紫外から青色までの波長帯域のレーザー光を発する半導体レーザーによって構成することができる。レーザー光源４２は、例えば、ＩｎＧａＮ系レーザダイオードやＡｌＩｎＧａＮ系レーザダイオードを用いることもできる。
【００２４】
なお、レーザー光源４２が発するレーザー光は、蛍光体を励起させるための光であれば、例えばＬＥＤが発する光であってもよい。また、レーザー光源４２は、１つ設けられているが、１つに限定されず、２以上でもよい。
【００２５】
蛍光部４４は、レーザー光源４２と線状導光部材６との間に配置され、レーザー光を波長変換した波長変換光を出射する。より具体的には、蛍光部４４は、レーザー光源４２と第１レンズ４６との間に配置されている。蛍光部４４は、レーザー光源４２から出射するレーザー光の光軸に貫かれる姿勢で、筐体３の内部に固定されている。蛍光部４４は、例えば、蛍光体ホイールである。蛍光部４４は、レーザー光の光軸と平行な回転軸を中心として回転する。蛍光部４４は、モータによって回転駆動する。本実施の形態では、蛍光部４４は、レーザー光源４２から出射するレーザー光の光軸と略直交する。
【００２６】
蛍光部４４は、レーザー光源４２が出射したレーザー光によって波長変換光を発する。具体的には、蛍光部４４は、レーザー光を所定の波長変換光に変換する。蛍光部４４は、レーザー光が照射されることにより、波長変換光を発する波長変換体である蛍光体を含む。言い換えれば、波長変換光は蛍光である。蛍光体は、例えばＹＡＧ系蛍光体、あるいはＢＡＭ系蛍光体等であり、レーザー光源４２のレーザー光の種類に応じて適宜選択することができる。本実施の形態では、蛍光部４４に入射したレーザー光は、白色の波長変換光を発する。蛍光部４４は、波長変換部材の一例である。なお、蛍光部４４の蛍光体が波長変換部材の一例であってもよい。
【００２７】
蛍光部４４は、セラミック、シリコーン樹脂等からなる透明材料であるバインダに、所定の蛍光体の微粒子を分散させることによって構成されている。つまり、バインダは、蛍光部４４の蛍光体を結合する媒質である。蛍光部４４を構成するバインダは、セラミック、シリコーン樹脂に限定されるものではなく、透明ガラス等のその他の透明材料を用いてもよい。
【００２８】
なお、蛍光体は、例えば、赤色蛍光体、緑色蛍光体、青色蛍光体等であってもよく、励起光により、赤色光、緑色光、青色光等の蛍光を発してもよい。この場合、これらの赤色光、緑色光、青色光の波長変換光を混ぜて白色光としてもよい。
【００２９】
また、蛍光部４４は、レーザー光源４２からの青色のレーザー光の一部を吸収して、緑色〜黄色に波長変換する複数種類の蛍光体を含んでいてもよい。この蛍光部４４では、例えば、レーザー光源４２からの青色のレーザー光が出射されると、青色のレーザー光の一部を吸収して緑色〜黄色の蛍光と、蛍光体により吸収されず透過した青色のレーザー光源４２とが合わさり、疑似的な白色の波長変換光を出射する。
【００３０】
ヒートシンク４５は、レーザー光源４２で生じた熱を放熱する放熱部材である。ヒートシンク４５のＸ軸マイナス方向側、つまりレーザー光源４２と反対側には、収容体４１からフィンが露出している。
【００３１】
第１レンズ４６は、片側凸レンズであり、凸側の反対側が平面である。第１レンズ４６は、第１レンズ４６の平面がレーザー光源４２の光軸と略直交する姿勢で、収容体４１に配置されている。
【００３２】
第２レンズ４７は、片側凸レンズであり、凸側の反対側が平面である。第２レンズ４７は、第２レンズ４７の平面がレーザー光源４２の光軸と略直交する姿勢で、収容体４１に配置されている。第２レンズ４７の凸側は第１レンズ４６の凸側と対向し、第２レンズ４７の平面側は線状導光部材６の入射面６１と対向している。第１レンズ４６及び第２レンズ４７は、蛍光部４４が出射した波長変換光を集光する。
【００３３】
図３は、実施の形態１に係る線状照明器具１の線状導光部材６を示す平面図と断面図である。
【００３４】
図２及び図３に示すように、線状導光部材６は、透明材料から成り、円柱の棒状部材であり、例えば光ファイバーケーブルである。線状導光部材６は、筐体３の内部でＸ軸方向と略平行に固定されている。線状導光部材６は、長尺であり、蛍光部４４から出射して端面である入射面６１から入射した波長変換光が導光する。線状導光部材６は、レーザー光源４２に光学レンズを介して光学的に接続されている。なお、線状導光部材６は、円柱に限定されず、角柱でもよく、柱状であれば形状は特に限定されない。本実施の形態では、線状導光部材６の径は、約２ｍｍである。
【００３５】
線状導光部材６は、入射面６１と、第１出射面６２と、第２出射面６３とを有する。
【００３６】
入射面６１は、レーザー光源４２が出射したレーザー光が蛍光部４４によって波長変換光となり、第１レンズ４６及び第２レンズ４７を経て集光された波長変換光が入射する面である。入射面６１は、第２レンズ４７と対向している。また、入射面６１は、第１レンズ４６、第２レンズ４７及び蛍光部４４を介してレーザー光源４２と対向している。
【００３７】
図３に示すように、また、線状導光部材６は、導光する波長変換光を線状導光部材６の第１出射面６２から出射させる光取り出し部を有する。本実施の形態では、光取り出し部は、線状導光部材６の第１出射面６２に形成された凹凸構造である。第１出射面６２には、凹凸構造が形成されている。第１出射面６２は、線状導光部材６の外径面であり、線状導光部材６の径方向と交差する外周面である。第１出射面６２からは、線状導光部材６を導光する光が出射する。
【００３８】
光取り出し部から出射する波長変換光の割合は、線状導光部材６の光路長が長くなるに従い次第に増加する。光取り出し部から出射する波長変換光の割合は、入射面６１から遠ざかるに従い次第に増加する。つまり、光取り出し部である凹凸構造における凹部６４又は凸部の密度は、入射面６１から遠ざかるに従い次第に大きくなる。本実施の形態では、凹凸構造における複数の凹部６４が線状導光部材６に形成されている。第１出射面６２に形成されている凹部６４の密度は、入射面６１から遠ざかるに従い次第に大きくなる。凹部６４は、例えば、円錐状、半球状、円錐台状、角錐台状、角錐体状等のプリズムである。
【００３９】
なお、本実施の形態では、凹凸構造における凹部６４が第１出射面６２に形成されているが、凹凸構造における凸部が第１出射面６２に形成されていてもよい。このため、凹部６４に限定するものではない。また、凹凸構造における凸部は、凹凸構造における凹部６４の反転対称であるため、その詳細な説明を省略する。
【００４０】
ここでいう光取り出し部から出射する波長変換光の割合は、線状導光部材６を導光する光量に対する、第１出射面６２の周方向へ出射する光量の割合である。
【００４１】
なお、光取り出し部は、凹凸構造に限定されず、シリコーン樹脂及びシリカなどの光拡散材等であってもよい。この場合、光拡散材は、線状導光部材６に含有されていてもよく、第１出射面６２に塗布されていてもよい。線状導光部材６における光拡散材の密度は、入射面６１から遠ざかるに従い次第に増加する。
【００４２】
なお、線状導光部材６の第１出射面６２にドットパターンが印刷することによって光拡散機能を実現してもよい。
【００４３】
第２出射面６３は、入射面６１とは反対側の線状導光部材６の面であり、線状導光部材６を導光する波長変換光が出射する面である。
【００４４】
線状導光部材６の製造方法は、例えば、レーザー加工装置を用いることで、線状導光部材６の基材に凹部６４を形成する。レーザー加工装置は、レーザー発光部、ガルバノスキャナ、ｆθレンズ等を有する。レーザー発光部が出射したレーザーは、ガルバノスキャナ、ｆθレンズを介して線状導光部材６の基材に照射される。この際に、線状導光部材６の基材を軸方向に回し、かつ、軸方向に押し出す。こうすることで、線状導光部材６の基材の第１出射面６２に凹部６４が形成される。
【００４５】
図１に示すように、反射板７は、線状導光部材６から出射した波長変換光を反射する鏡である。反射板７は、線状導光部材６から出射した波長変換光をＺ軸マイナス方向に向けて出射するように、Ｚ軸プラス方向に凸状を形成した状態で湾曲している。線状導光部材６から出射した波長変換光は、周囲を照明する光である。
【００４６】
透光板８は、筐体３の開口３ａを覆う透光性のパネルである。透光板８は、線状導光部材６から出射した波長変換光が通過する。透光板８は、アクリル、ガラス等の透明な部材で構成されている。
【００４７】
このような線状照明器具１では、レーザー光源４２が出射したレーザー光が蛍光部４４に入射する。蛍光部４４は、レーザー光を蛍光体によって波長変換して、波長変換光を発する。蛍光部４４から出射した波長変換光は、第１レンズ４６及び第２レンズ４７で集光されて線状導光部材６の入射面６１に入射する。この波長変換光は、線状導光部材６を導光する際に、第１出射面６２の凹部６４から出射する。凹凸構造における凹部６４又は凸部は、第１出射面６２において、入射面６１から遠ざかるに従い次第に大きくなる。このため、入射面６１から遠ざかるほど、線状導光部材６を導光する波長変換光を取り出せる割合が増加する。これにより、第１出射面６２からは、輝度斑が抑制された均一な波長変換光が出射され易くなる。
【００４８】
［作用効果］
次に、本実施の形態における線状照明器具１の作用効果について説明する。
【００４９】
上述したように、本実施の形態に係る線状照明器具１は、長尺である。また、線状照明器具１は、レーザー光を出射するレーザー光源４２と、レーザー光を波長変換した波長変換光を出射する蛍光部４４と、蛍光部４４から出射して入射面６１から入射した波長変換光が導光する長尺の線状導光部材６とを備える。また、線状導光部材６は、導光する波長変換光を線状導光部材６の第１出射面６２から出射させる光取り出し部を有する。そして、光取り出し部から出射する波長変換光の割合は、線状導光部材６の光路長が長くなるに従い次第に増加する。
【００５０】
このように、光取り出し部から出射する波長変換光の割合は、線状導光部材６の光路長が長くなるに従い次第に増加する。これにより、入射面６１から離れた場所の第１出射面６２から波長変換光を多く取り出すことができる。このため、第１出射面６２からは、輝度斑が抑制された均一な波長変換光、つまり光が出射され易くなる。
【００５１】
したがって、この線状照明器具１では、均斉度の高い光を出射することができる。
【００５２】
また、本実施の形態に係る線状照明器具１において、光取り出し部は、線状導光部材６の第１出射面６２に形成された凹凸構造である。そして、凹凸構造における凹部６４又は凸部の密度は、入射面６１から遠ざかるに従い次第に大きくなる。
【００５３】
このように、凹凸構造における凹部６４又は凸部の密度は、入射面６１から遠ざかるに従い次第に大きくなる。これにより、入射面６１から離れた場所の凹部６４又は凸部から波長変換光を多く取り出すことができる。このため、第１出射面６２からは、輝度斑が抑制された均一波長変換光が出射され易くなる。
【００５４】
（実施の形態１の変形例）
図４は、実施の形態１の変形例に係る線状照明器具１の線状導光部材６を示す断面図である。
【００５５】
本変形例では、凹部１６４の深さが異なる点で実施の形態１と異なっている。また、本変形例の線状照明器具１は、特に明記しない場合は、実施の形態１と同様であり、同一の構成については同一の符号を付して構成に関する詳細な説明を省略する。
【００５６】
図４に示すように、線状導光部材６の第１出射面６２には、複数の凹部１６４が形成されている。凹凸構造における凹部１６４の深さ又は凸部の高さは、入射面６１から遠ざかるに従い次第に大きくなる。本実施の形態では、凹部１６４を用いている。具体的には、凹部１６４の径の大きさは、同じであり、凹部１６４の深さが入射面６１から遠ざかるに従い次第に深くなる。
【００５７】
これによれば、本実施の形態に係る線状照明器具１において、光取り出し部は、線状導光部材６の第１出射面６２に形成された凹凸構造である。そして、凹凸構造における凹部１６４の深さ又は凸部の高さは、端面から遠ざかるに従い次第に大きくなる。
【００５８】
このように、凹部１６４の深さ又は凸部の高さは、入射面６１から遠ざかるに従い次第に大きくなる。これにより、入射面６１から離れた場所の凹部１６４又は凸部から波長変換光を多く取り出すことができる。このため、第１出射面６２からは、輝度斑が抑制された均一な光が出射され易くなる。
【００５９】
本変形例における他の作用効果についても、実施の形態１と同様の作用効果を奏する。
【００６０】
（実施の形態２）
図５は、実施の形態２に係る線状照明器具２０１を示す斜視図である。図６は、実施の形態２に係る線状照明器具２０１の線状導光部材２０６を示す平面図である。
【００６１】
本実施の形態では、線状導光部材２０６の両端側からレーザー光源４２のレーザー光を入射させる点で実施の形態１等と異なっている。このため、実施の形態１の第２出射面６３は本実施の形態の第２入射面６３ａに相当し、実施の形態１の第１出射面６２は本実施の形態の出射面２６２に相当する。
【００６２】
また、本実施の形態の線状照明器具２０１は、特に明記しない場合は、実施の形態１等と同様であり、同一の構成については同一の符号を付して構成に関する詳細な説明を省略する。
【００６３】
図６に示すように、線状照明器具２０１は、第１光源モジュール４ａと、第２光源モジュール４ｂとを有する。第１光源モジュール４ａと、第２光源モジュール４ｂとは同様の構成である。
【００６４】
蛍光部４４は、第１レーザー光源と線状導光部材２０６との間に配置される第１蛍光部と、第２レーザー光源と線状導光部材２０６との間に配置される第２蛍光部とを有する。
【００６５】
第１光源モジュール４ａは、線状導光部材２０６の一方であるＸ軸マイナス方向側に配置されている。第２光源モジュール４ｂは、線状導光部材２０６の他方であるＸ軸プラス方向側に配置されている。つまり、線状導光部材２０６の両端側には、第１光源モジュール４ａ及び第２光源モジュール４ｂが配置されている。
【００６６】
第１光源モジュール４ａの第１レーザー光源が出射したレーザー光は、第１蛍光部で波長変換された波長変換光がＸ軸マイナス方向側の端面である第１入射面６１ａから入射する。第２光源モジュール４ｂの第２レーザー光源が出射したレーザー光は、第２蛍光部で波長変換された波長変換光がＸ軸プラス方向側の端面である第２入射面６３ａから入射する。
【００６７】
線状導光部材２０６の凹凸構造における凹部６４又は凸部の密度は、第１入射面６１ａ及び第２入射面６３ａから線状導光部材２０６の中央部分に近づくに従い次第に大きくなる。
【００６８】
線状導光部材２０６は、第１光源モジュール４ａ及び第２光源モジュール４ｂと光学的に接続されている。線状導光部材２０６は、第１入射面６１ａの他に、出射面２６２と、第２入射面６３ａとを有する。
【００６９】
出射面２６２は、線状導光部材２０６の外径面であり、線状導光部材２０６の径方向と交差する。出射面２６２は、線状導光部材２０６を導光する光が出射する。
【００７０】
第２入射面６３ａは、第２光源モジュール４ｂのレーザー光源４２が出射した光が入射する面である。
【００７１】
第２入射面６３ａは、線状導光部材２０６のＸ軸プラス方向側の端面であり、第１入射面６１ａと反対側の面である。
【００７２】
［実験結果］
図７は、線状照明器具の線状導光部材から出射する光を示す図である。図７では、本実施の形態と同様に線状導光部材の両端側にレーザー光源４２を配置している。線状導光部材として、長さ２００ｍｍ、屈折率ｎ＝１．４９のアクリルを用いた。
【００７３】
図７の（ａ）は、線状導光部材６ａに凹部６４を形成していない場合における、線状導光部材６ａのＹ軸プラス方向側の面から出射する輝度を示すグラフである。図７の（ｂ）は、線状導光部材６ａに凹部６４を形成していない場合における、線状導光部材６ａの外周面から出射した光の出射方向を示す図である。図７の（ｃ）は、線状導光部材６ａに凹部６４を形成していない場合における、線状導光部材６ａの輝度分布を示す図である。
【００７４】
図７の（ａ）〜図７の（ｃ）で示すように、線状導光部材６ａに凹部６４を形成していない場合では、レーザー光源４２の近傍から光が出射してしまい、入射面から離れるに従い輝度が低下していることが判る。このような線状導光部材６ａでは、出射面からの明るさに斑が生じていることが判る。
【００７５】
図７の（ｄ）は、線状導光部材６ｂに凹部６４を等間隔に形成した場合における、線状導光部材６ｂのＹ軸プラス方向側の面から出射する輝度を示すグラフである。図７の（ｅ）は、線状導光部材６ｂに凹部６４を等間隔に形成した場合における、線状導光部材６ａの外周面から出射した光の出射方向を示す図である。図７の（ｆ）は、線状導光部材６ｂに凹部６４を等間隔に形成した場合における、線状導光部材６ｂの輝度分布を示す図である。図７の（ｄ）〜図７の（ｆ）では、約２ｍｍ間隔で凹部６４を形成している。
【００７６】
図７の（ｄ）〜図７の（ｆ）で示すように、線状導光部材６ｂに凹部６４を形成していない場合では、レーザー光源４２の近傍から光が出射してしまい、入射面から離れるに従い輝度が低下していることが判る。このような線状導光部材６ｂでは、図７の（ａ）〜図７の（ｃ）の線状導光部材６ｂに比べて輝度斑が抑制されているものの、線状導光部材６ｂの中央部分で輝度が低下しており、出射面からの明るさに斑が生じていることが判る。
【００７７】
図７の（ｇ）は、本実施の形態に係る線状導光部材２０６における、線状導光部材２０６のＹ軸プラス方向側の面から出射する輝度を示すグラフである。図７の（ｈ）は、本実施の形態に係る線状導光部材２０６における、線状導光部材６ａの外周面から出射した光の出射方向を示す図である。図７の（ｉ）は、本実施の形態に係る線状導光部材２０６における、線状導光部材２０６の輝度分布を示す図である。
【００７８】
図７の（ｇ）〜図７の（ｉ）で示すように、本実施の形態に係る線状導光部材２０６の場合では、第１入射面６１ａから離れても、輝度が低下していないことが判る。このような線状導光部材２０６では、図７の（ａ）〜図７の（ｆ）の線状導光部材２０６に比べて、輝度斑が抑制されていることが判る。このため、図７の（ｇ）〜図７の（ｉ）で示すように、本実施の形態における線状導光部材２０６では、図７の（ａ）〜図７の（ｆ）の線状導光部材６ａ、６ｂに比べて、優位な結果を得た。
【００７９】
［作用効果］
次に、本実施の形態における線状照明器具２０１の作用効果について説明する。
【００８０】
上述したように、本実施の形態に係る線状照明器具２０１において、レーザー光源４２は、線状導光部材２０６の一方側に配置される第１レーザー光源と、線状導光部材２０６の他方側に配置される第２レーザー光源とを有する。また、蛍光部は、第１レーザー光源と線状導光部材２０６との間に配置される第１蛍光部と、第２レーザー光源と線状導光部材２０６との間に配置される第２蛍光部とを有する。さらに、第１レーザー光源が出射したレーザー光は、第１蛍光部で波長変換された波長変換光が一方の端面である第１入射面６１ａから入射する。そして、第２レーザー光源が出射したレーザー光は、第２蛍光部で波長変換された波長変換光が他方の端面である第２入射面６３ａから入射する。
【００８１】
このように、線状導光部材２０６の両端側にレーザー光源４２をそれぞれ配置し、線状導光部材２０６の両端側から光を入射させる。このため、線状導光部材２０６の中央部分には両端側から光が導光してくるため、レーザー光源４２から離れた中央部分でもより多くの光を取り出すことができる。このため、出射面２６２からは、輝度斑が抑制された、より均一な光が出射され易くなる。
【００８２】
また、本実施の形態に係る線状照明器具２０１において、光取り出し部は、線状導光部材２０６の出射面２６２に形成された凹凸構造である。そして、凹凸構造における凹部６４又は凸部の密度は、第１入射面６１ａ及び第２入射面６３ａから線状導光部材２０６の中央部分に近づくに従い次第に大きくなる。
【００８３】
このように、凹凸構造における凹部６４又は凸部の密度は、第１入射面６１ａ及び第２入射面６３ａから線状導光部材２０６の中央部分に近づくに従い次第に大きくなる。このため、線状導光部材２０６の中央部分には両端側から光が導光してくるため、レーザー光源４２から離れた中央部分でも、さらに多くの光を取り出すことができる。このため、出射面２６２からは、輝度斑が抑制された、さらに均一な光が出射され易くなる。
【００８４】
本実施の形態における他の作用効果についても、実施の形態１と同様の作用効果を奏する。
【００８５】
（実施の形態２の変形例）
図８は、実施の形態２の変形例に係る線状照明器具２０１の線状導光部材３０６を示す断面図である。
【００８６】
本変形例では、凹部１６４の深さ又は凸部の高さが異なる点で実施の形態１等と異なっている。また、本変形例の線状照明器具２０１は、特に明記しない場合は、実施の形態２と同様であり、同一の構成については同一の符号を付して構成に関する詳細な説明を省略する。
【００８７】
図８に示すように、線状導光部材３０６の出射面３６２には、凹部６４が形成されている。凹凸構造における凹部１６４の深さ又は凸部の高さは、第１入射面６１ａ及び第２入射面６３ａから線状導光部材３０６の中央部分に近づくに従い次第に大きくなる。凹部６４の径の大きさは、同じである。
【００８８】
これによれば、本実施の形態に係る線状照明器具２０１において、光取り出し部は、線状導光部材３０６の出射面３６２に形成された凹凸構造である。そして、凹凸構造における凹部１６４の深さ又は凸部の高さは、第１入射面６１ａ及び第２入射面６３ａから線状導光部材３０６の中央部分に近づくに従い次第に大きくなる。
【００８９】
このように、凹部１６４の深さ又は凸部の高さは、入射面６１から遠ざかるに従い次第に大きくなる。このため、線状導光部材３０６の中央部分には両端側から光が導光してくるため、レーザー光源４２から離れた中央部分でもさらに多くの光を取り出すことができる。このため、出射面３６２からは、輝度斑が抑制された、さらに均一な光が出射され易くなる。
【００９０】
本変形例における他の作用効果についても、実施の形態２と同様の作用効果を奏する。
【００９１】
（その他変形例等）
以上、本開示について、実施の形態１、２及び実施の形態１、２の変形例に基づいて説明したが、本開示は、上記実施の形態１、２及び実施の形態１、２の変形例に限定されるものではない。
【００９２】
例えば、上記実施の形態１、２及び実施の形態１、２の変形例に係る線状導光部材の第１出射面には、光を反射する反射部材を配置してもよい。反射部材は、金属、例えばポリブチレンテレフタレート等の非透光性の白色樹脂等であってもよい。
【００９３】
また、上記実施の形態１、２及び実施の形態１、２の変形例に係る線状照明器具は、可撓性を有していてもよい。例えば、線状導光部材、筐体、反射板、透光板等が可撓性を有していてもよい。
【００９４】
その他、実施の形態１、２及び実施の形態１、２の変形例に対して当業者が思いつく各種変形を施して得られる形態、本開示の趣旨を逸脱しない範囲で実施の形態１、２及び実施の形態１、２の変形例における構成要素及び機能を任意に組み合わせることで実現される形態も本開示に含まれる。
【符号の説明】
【００９５】
１、２０１  線状照明器具（照明器具）
６、２０６、３０６  線状導光部材
４２  レーザー光源
４４  波長変換部材
６１  入射面（端面）
６１ａ  第１入射面（端面）
６２  第１出射面（外周面）
６３ａ  第２入射面（端面）
６４、１６４  凹部（光取り出し部、凹凸構造）
２６２、３６２  出射面（外周面）
【図１】
2019061796.tif 000003
【図２】
2019061796.tif 000004
【図３】
2019061796.tif 000005
【図４】
2019061796.tif 000006
【図５】
2019061796.tif 000007
【図６】
2019061796.tif 000008
【図７】
2019061796.tif 000009
【図８】
2019061796.tif 000010